(57)【要約】【課題】市販の親綱支柱をその汎用性を損なうことなく鉄骨柱のエレクションピースに支持することを可能とする補助金具を提供すること。【解決手段】鉄骨柱に設けられ上下方向へ伸びる板状のエレクションピース（１２）に、水平な板状体を挟持するための挟持手段（２４）を有する親綱支柱（１４）を支持するために用いられる補助金具（１６）であって、角筒状のハウジング（３２）を含む。ハウジングは、エレクションピースの一部（３９）を受入れ可能である一方の開放端（４０）と、親綱支柱の挟持手段の一部を受入れ可能である他方の開放端（４２）と、ハウジング内に受け入れられるエレクションピースの一部にハウジングを固定するための固定手段（４４）と、挟持手段により挟持可能である、他方の開放端を規定する頂壁（３４）とを備える。【選択図】図１
2005220682.tif 000002
【特許請求の範囲】
【請求項１】
鉄骨柱に設けられ上下方向へ伸びる板状のエレクションピースに、水平な板状体を挟持するための挟持手段を有する親綱支柱を支持するために用いられる補助金具であって、角筒状のハウジングを含み、該ハウジングは、前記エレクションピースの一部を受入れ可能である一方の開放端と、前記親綱支柱の挟持手段の一部を受入れ可能である他方の開放端と、前記ハウジング内に受け入れられるエレクションピースの一部に前記ハウジングを固定するための固定手段と、前記挟持手段により挟持可能である、前記他方の開放端を規定する頂壁とを備える、補助金具。
【請求項２】
前記固定手段は、前記ハウジング内に配置され該ハウジングの軸線を横切る２つの平行な板部材であって、それぞれが前記ハウジング内に受け入れられる前記エレクションピースの一部の挿通を許す矩形状の穴を有する２つの板部材と、前記ハウジングの頂壁に連なる両側壁の一方に螺合され、前記エレクションピースに向けて伸びる少なくとも１つのボルトとからなる、請求項１に記載の補助金具。
【請求項３】
さらに、前記ハウジング内に配置され、前記２つの板部材の矩形状の穴を貫通する、前記エレクションピースのための上下２つの案内板を備える、請求項２に記載の補助金具。
【請求項４】
さらに、前記ハウジングの頂壁に連なる両側壁にそれぞれ設けられた２つの穴と前記エレクションピースに設けられた穴とに挿通可能であるロッドを含む、請求項１〜３のいずれか１項に記載の補助金具。
【請求項５】
さらに、前記２つの穴及び前記エレクションピースの穴からの前記ロッドの抜け出しを防止するための手段を含む、請求項４に記載の補助金具。
【請求項６】
前記ハウジングの一方の開放端は前記ハウジングの軸線と直交し、また、前記他方の開放端は、該他方の開放端と前記一方の開放端との間隔が前記ハウジングの頂壁からその両側壁に連なる底壁に向けて漸減するように傾斜している、請求項１〜５のいずれか１項に記載の補助金具。
【発明の詳細な説明】
【技術分野】
【０００１】
本発明は、複数の鉄骨柱を互いに継ぎ足す柱の建て方において、各鉄骨柱を吊り上げるためにこれに取り付けられるエレクションピースに親綱支柱を支持するために有用な補助金具に関する。
【背景技術】
【０００２】
柱の建て方においては、通常、既に継ぎ足された鉄骨柱（既設の鉄骨柱）の上に新たに継ぎ足される鉄骨柱（新設の鉄骨柱）が載置され、その載置位置の調整後、既設の鉄骨柱に接合される。この一連の作業は、既設の２つの鉄骨柱相互間に予め配置されこれらに接続されたＨ形鋼からなる鉄骨梁上においてなされる。この作業は高所でなされることから、前記鉄骨梁上に複数の親綱支柱が互いに間隔をおいて立てられ、これらの親綱支柱を介して、安全ベルトを掛けるための親綱が張られる。
【０００３】
ところで、市販品である前記親綱支柱はほぼ１ｍの高さ寸法に設定されている。作業の安全性を考慮すると、親綱はより高い位置にあることが望ましく、そのためには前記親綱支柱の高さ寸法がより大きいものであればよい。しかし、このような高さ寸法の大きい、例えば２倍の高さ寸法を有する親綱支柱を製作すると、その重量が３〜４倍に増大し、その取扱いが困難になるという難点がある。
【０００４】
そこで、市販の親綱支柱を、より高い位置、例えば既設の鉄骨柱の頂部に取り付けられたエレクションピースに支持することが考えられる。ところが、前記親綱支柱は水平な板、前記鉄骨梁にあってはその上フランジを挟持可能である挟持手段を有し、該挟持手段では垂直な板からなる前記エレクションピースを挟持することができない。これを解消すべく、前記挟持手段を垂直な板を挟持可能なものとすることが考えられるが、そうすると、今度は前記親綱支柱の汎用性を損なうという問題が生じる。
【０００５】
【特許文献１】特開２００３−３２５６８８号公報
【発明の開示】
【発明が解決しようとする課題】
【０００６】
本発明の目的は、市販の親綱支柱をその汎用性を損なうことなく鉄骨柱のエレクションピースに支持することを可能とする補助金具を提供することにある。
【課題を解決するための手段】
【０００７】
本発明は、鉄骨柱に設けられ上下方向へ伸びる板状のエレクションピースに、水平な板状体を挟持するための挟持手段を有する親綱支柱を支持するために用いられる補助金具であって、角筒状のハウジングを含み、該ハウジングは、前記エレクションピースの一部を受入れ可能である一方の開放端と、前記親綱支柱の挟持手段の一部を受入れ可能である他方の開放端と、前記ハウジング内に受け入れられるエレクションピースの一部に前記ハウジングを固定するための固定手段と、前記挟持手段により挟持可能である、前記他方の開放端を規定する頂壁とを備える。
【０００８】
前記固定手段は、例えば、前記ハウジング内に配置され該ハウジングの軸線を横切る２つの平行な板部材であって、それぞれが前記ハウジング内に受け入れられる前記エレクションピースの一部の挿通を許す矩形状の穴を有する２つの板部材と、前記ハウジングの頂壁に連なる両側壁の一方に螺合され、前記エレクションピースに向けて伸びる少なくとも１つのボルトとからなる。この例においては、さらに、前記ハウジング内に配置され、前記２つの板部材の矩形状の穴を貫通する、前記エレクションピースのための上下２つの案内板を備えるものとすることができる。
【０００９】
前記補助金具は、さらに、前記ハウジングの両側壁にそれぞれ設けられた２つの穴と、前記エレクションピースに設けられた穴とに挿通可能であるロッドを含むものとすることができる。さらに、また、前記２つの穴及び前記エレクションピースの穴からの前記ロッドの抜け出しを防止するための手段を含むものとすることができる。
【００１０】
好ましくは、前記ハウジングの一方の開放端が前記ハウジングの軸線と直交し、また、前記他方の開放端は、該他方の開放端と前記一方の開放端との間隔が前記ハウジングの頂壁からその両側壁に連なる底壁に向けて漸減するように傾斜している。
【発明の効果】
【００１１】
本発明によれば、鉄骨柱に設けられた上下方向へ伸びる板状のエレクションピースに対し、本発明に係る補助金具を、前記エレクションピースの一部が前記補助金具のハウジング内にその一方の開放端を通して受け入れらるように近づけ、次いで、固定手段を操作して前記ハウジングを前記エレクションピースの一部に固定することにより、前記補助金具を前記エレクションピースに取り付けることができる。このとき、前記ハウジングの頂壁は水平状態におかれる。次に、前記エレクションピースに取り付けられた前記補助金具に対し、親綱支柱をその挟持手段の一部が前記補助金具のハウジングの他方の開放端を通して受け入れられるように近づけ、次いで、前記親綱支柱の挟持手段で前記補助金具のハウジングの頂壁を挟持することにより、前記親綱支柱を前記補助金具に取り付けることができる。その結果、従来において親綱支柱が支持されていた鉄骨梁に比べてより高位に位置する前記エレクションピースに、前記親綱支柱を支持することができ、したがってより高位置に親綱を張ることができる。
【００１２】
また、本発明によれば、市販の親綱支柱に改変を加えることなく、従来に比べて高い位置に前記親綱支柱を支持することができ、このため、前記親綱支柱が有する取扱い性及び汎用性を損なうことが回避される。
【００１３】
前記ハウジング内に受け入れられる前記エレクションピースの一部を前記ハウジングに固定するための手段について、前記ハウジング内に配置された、前記エレクションピースの一部の挿通を許す矩形状の穴を有する互いに平行な２つの板部材と、前記ハウジングの側壁に螺合されたボルトとからなるものとしたことから、前記ボルトの締め付け操作により前記エレクションピースの一部を前記２つの板部材に押し付けて前記ハウジングに容易に固定することができる。また、前記固定手段を２つの板部材と前記ボルトとで構成することにより、前記補助金具の重量増大を抑えることができ、これにより前記補助金具の取扱いの向上を図ることができる。このような重量増大の軽減は、さらに、前記ハウジングの他方の開放端についてこれが傾斜するように設定することにより図ることができる。
【００１４】
前記２つの板部材の矩形状の穴を貫通する上下２つの案内板を設けるときは、該案内板を介して、前記エレクションピースの一部を前記２つの板部材の穴に円滑に導くことができる。また、前記ハウジングの両側壁の穴と前記エレクションピースの穴とに通されるロッドを設けるときは、前記エレクションピースからの前記補助金具の離脱をより有効に阻止することができる。好ましくは、前記ロッドの前記穴からの抜け出しを阻止するための手段を設けることにより、前記補助金具による前記親綱支柱の支持をより確実なものとすることができる。
【発明を実施するための最良の形態】
【００１５】
図１及び図２を参照すると、鉄骨柱１０の頂部の側面に取り付けられ上下方向へ伸びる板状のエレクションピース１２に、親綱支柱１４が、本発明に係る補助金具１６を介して支持され上下方向へ伸びている。
【００１６】
鉄骨柱１０はその下方の鉄骨柱（図示せず）の上に継ぎ足されている。エレクションピース１２は鉄骨柱１０を前記下方の鉄骨柱上に吊り上げるために用いられる。エレクションピース１２には、鉄骨柱１０の吊り上げに利用されるフックやワイヤを通すための穴１８が設けられている。
【００１７】
親綱支柱１４は棒状の本体２０と、該本体の一端部（上端部）に取り付けられた、親綱（図示せず）を通すためのリング部２２と、その他端部（下端部）に取り付けられた挟持手段２４とを備え、約１ｍの高さ寸法を有する。
【００１８】
親綱支柱の挟持手段２４はその使用時に水平な板状体を挟持する上下２つの挟持部材２６，２８を有する。両挟持部材２６，２８により挟持される前記水平な板状体は、本発明にあっては、補助金具１６の後記ハウジングの一部をなす頂壁である。
【００１９】
図示の例では、挟持手段２４の上方の挟持部材２６は２つのボルトからなり、また下方の挟持部材２８は互いに平行な２つの垂直板からなる。上方の両ボルト２６に対して下方の両垂直板２８がそれぞれ対向しており、上方の両ボルト２６を下方の両垂直板２８に向けて下降させまた上昇させることにより、これらの間に前記水平な板状体（前記ハウジングの頂壁３４）を挟持し、またこれを解除することができる。図示の例では、両ボルト２６が突き当たる前記ハウジングの頂壁３４上に補強板３０が取り付けられている。両ボルト２６は、本体２０に取り付けられたブラケット３１に螺合され、上下方向へ本体２０と平行に伸びている。
【００２０】
本発明の補助金具１６は、角筒状のハウジング３２を含む。
【００２１】
ハウジング３２は、頂壁３４と、該頂壁に連なる互いに平行な両側壁３６と、これらの側壁３６に連なり、頂壁３４と平行な底壁３８とを有する。
【００２２】
ハウジング３２は、エレクションピース１２の一部、より詳細にはエレクションピース１２の先端部３９（図２参照）を受入れ可能である一方の開放端４０と、親綱支柱１４の挟持手段２４の一部、より詳細には下方の挟持部材２８の先端部を受入れ可能である他方の開放端４２とを有する（図１参照）。
【００２３】
ハウジング３２は、また、ハウジング３２内にその一方の開放端４０を通して受け入れられるエレクションピース１２の一部にハウジング３２を固定するための固定手段４４を有する。
【００２４】
固定手段４４は、図示の例では、ハウジング３２内に配置され該ハウジングの軸線を横切る２つの平行な板部材４６，４８と、ハウジング３２の一方の側壁３６に螺合された２つのボルト５０とからなる。
【００２５】
両板部材４６，４８はそれぞれハウジング３２の各壁３４，３６，３８に固定されている。両板部材４６，４８には、それぞれ、上下方向へ伸びる２つの矩形状の穴５２，５４が設けられている。これらの穴５２，５４は、それぞれ、好ましくはハウジングの両側壁３６間の中間にあり、両板部材４６，４８に沿って上下方向に伸びている。
【００２６】
また、両穴５２，５４は、それぞれ、エレクションピースの一部３９の断面形状である細長い矩形よりわずかに大きい大きさを有し、エレクションピースの一部３９がハウジング３２内に受け入れられるとき前記エレクションピースの一部３９の挿通を許す。これらの穴５２，５４へのエレクションピース１２の一部の挿通により、補助金具１６がエレクションピース１２に吊持される。
【００２７】
両ボルト５０は、両板部材４６，４８間にあって、両板部材の穴５２，５４に挿通されるエレクションピースの一部３９に向けて伸びている。図示の例では、各ボルト５０は、ハウジングの側壁３６を貫通し、該側壁の内面に固定されたナット５６に螺合され、これにより、側壁３６に対して実質的に螺合されている。
【００２８】
両ボルト５０をエレクションピース１２の端部３９に向けて進めることにより、これらの先端をエレクションピースの端部３９に押し当て、さらに、エレクションピースの端部３９を両穴５２，５４を規定する両板部材４６，４８に押し付けることができ、これにより、エレクションピースの端部３９にハウジング３２を固定すること、すなわち補助金具１６をエレクションピース１２を取り付けることができる。なお、ボルト５０は、その数量を１又は３以上とすることができる。
【００２９】
好ましくは、ハウジング３２の両側壁３６に、それぞれ、ハウジング３２内に受け入れられたときにエレクションピース１２の穴１８と相対する２つの穴５８（そのうちの一方のみを示す。）を設けられている。これらの穴１８，５８はロッド６０の挿通用穴として用いることができ、これらの穴にロッド６０を挿通させることにより、エレクションピース１２から補助金具１６が誤って離脱することを防止することができる。さらに、好ましくは、これらの穴１８，５８からのロッド６０の抜け出しを防止するための抜け出し防止手段６２が設けられている。
【００３０】
図示の抜け出し防止手段は、ロッド６０の端部に固定されたフック６４と、フック６４を引掛け可能であるピン６６とからなり、ピン６６は側壁３６に固定され該側壁から突出している。これによれば、フック６４をピン６６に掛けることにより、ロッド６０のその軸線方向への移動を制限し、前記穴からのロッド６０の抜け出しを防止することができる。
【００３１】
さらに、好ましくは、両板部材４６，４８の穴５２，５４へのエレクションピースの一部３９の挿通をより円滑にするため、細長い上下２つの案内板６８，７０が設けられている。
【００３２】
両案内板６８，７０は、それぞれ、ハウジング３２の内部に配置され、ハウジングの頂壁３４及び底壁３８と平行に伸び、また両板部材の穴５２，５４をこれらの上端及び下端において貫通している。各案内板は、ハウジング３２の実質的に一方の開放端４０に始まり、他方の開放端４２に至る前で終端している。これによれば、エレクションピースの一部３９の上下両端を、相対的に、両案内板６８，７０に沿わせて移動させ、ハウジング３２内の両板部材の穴５２，５４を円滑に導くことができる。好ましくは、両案内板６８，７０の終端部がそれぞれ上方へ向けて折り曲げられており、これらの折り曲げ端部は、前記エレクションピースの相対移動に対するストッパの役割を果たす。
【００３３】
ハウジング３２の他方の開放端４２は、親綱支柱１４の挟持手段２４の一部である両垂直板２８を受入れ可能の大きさを有し、開放端４２を規定するハウジングの頂壁３４は、挟持手段２４による挟持が可能である水平な板状体をなす。
【００３４】
したがって、補助金具１６をエレクションピース１２に取り付けた後、親綱支柱の挟持手段２４を介して、親綱支柱１４をハウジングの頂壁３４に固定することができ、これにより、親綱支柱１４をこれが直立するようにエレクションピース１２に支持することができる。
【００３５】
ハウジングの両開放端４０，４２は、それぞれ、ハウジング３２の軸線と直交するものとすることができるが、他方の開放端４２を規定する頂壁３４が親綱支柱の挟持手段２４に挟持されるについてのみ、傾斜するものとすることができる。すなわち、他方の開放端４２と一方の開放端４０との間隔がハウジングの頂壁３４からその底壁３８に向けて漸減するように傾斜するものとすることができる。これにより、ハウジング３２自体の重量軽減を図ることができる。
【００３６】
また、複数の補助金具１６を保管する際、２つの補助金具１６の傾斜した他方の開放端４２を互いに突き合わせることにより、これらを整列状態におくことができる。
【００３７】
さらに、好ましくは、補助金具１６の持ち運びに便利なように、ハウジング３２に持ち手７２が取り付けられる。
【図面の簡単な説明】
【００３８】
【図１】エレクションピース、本発明に係る補助金具及びこれを介してエレクションピースに支持された親綱支柱の正面図である。
【図２】図１に示すエレクションピース、補助金具及び親綱支柱の側面図である。
【図３】補助金具の一の方向からみた斜視図である。
【図４】補助金具の他の方向からみた斜視図である。
【符号の説明】
【００３９】
１０  鉄骨柱
１２  エレクションピース
１４  親綱支柱
１６  補助金具
２４  親綱支柱の挟持手段
３２  ハウジング
３４，３６，３８  ハウジングの頂壁、側壁及び底壁
４０，４２  ハウジングの一方の開放端及び他方の開放端
４４  固定手段
【図１】
2005220682.tif 000003
【図２】
2005220682.tif 000004
【図３】
2005220682.tif 000005
【図４】
2005220682.tif 000006